(57)【要約】【課題】原稿に白色以外の色領域が存在していてもパーソナルコンピュータを使用することなく、原稿画像とカラー画像を合成する編集を簡単に実現できる画像読取装置を提供する。【解決手段】画像読取装置は、光源６１からの光６９について、選択画素７５により所定波長の光を反射してカラー画像７１を表示すると共に非選択画素７７により原稿台５５上の原稿６７側へ光６９を透過する画像表示部２７と、非選択画素７７を透過した光６９を原稿台５５上の原稿６７で反射させた原稿画像７９と画像表示部２７に表示されているカラー画像７１を合成した合成画像を読み取る画像センサと、を備える。【選択図】図７
2009273046.tif 000002
【特許請求の範囲】
【請求項１】
透明な原稿台と、
前記原稿台上の原稿に前記原稿台を通して光を照射する光源と、
前記光源と前記原稿台上の原稿の間に位置しており、前記光源からの光について、選択画素により所定波長の光を反射してカラー画像を表示すると共に非選択画素により前記原稿台上の原稿側へ光を透過する画像表示部と、
前記非選択画素を透過した光を前記原稿台上の原稿で反射させた原稿画像と前記画像表示部に表示されているカラー画像を合成した合成画像を読み取る画像センサと、を備える画像読取装置。
【請求項２】
前記画像表示部は電力の供給を停止してもカラー画像の表示を保持するメモリ性を有しており、
前記画像読取装置はさらに、
前記画像表示部にカラー画像を表示する制御をした後に前記画像表示部への電力の供給を停止する制御をし、ユーザが前記画像読取装置のリセットキーを操作することにより前記画像表示部に表示しているカラー画像を消去する制御をする表示制御部を備える請求項１に記載の画像読取装置。
【請求項３】
前記表示制御部は、前記画像表示部にカラー画像を表示する制御をする場合、カラー画像表示を報知する報知情報を、前記原稿台上の原稿と重ならない前記画像表示部の領域に表示する制御をする請求項２に記載の画像読取装置。
【発明の詳細な説明】
【技術分野】
【０００１】
本発明は、フラットベッド式の画像読取装置に関する。
【背景技術】
【０００２】
フラットベッド式の画像読取装置として、原稿台を兼ねる液晶シャッタを備えたものがある（例えば特許文献１参照）。その装置によれば、液晶シャッタに文字画像を表示した状態で原稿台上の原稿及び液晶シャッタに光源からの光を照射し、文字画像と原稿で反射された原稿画像を合成した合成画像を画像センサにより読み取る。これによりパーソナルコンピュータを利用することなく簡単に合成画像を作成することができる。さらに、その装置によれば、液晶シャッタにＲ，Ｇ，Ｂの色分解フィルタを重ねて設け、各液晶セルを選択的に開制御することでカラー画像の読み取りにも対応することができる。
【０００３】
【特許文献１】特開平１１−２１５３１２号公報（段落００７２〜段落００７６、段落００８９、第５図、第６図）
【発明の開示】
【発明が解決しようとする課題】
【０００４】
上記装置によれば、カラー画像は原稿で反射してから原稿画像と合成されて読み取られる。黒色領域ではカラー画像は反射されないので、原稿に黒色領域が存在しかつカラー画像が黒色領域と重なる位置にあれば、カラー画像は原稿で反射されず、読み取ることができない。したがって、合成画像のその部分は黒色領域だけとなる。補色の関係にある場合も同様である。例えば、原稿にシアン色領域が存在しかつ赤色画像がシアン色領域に重なる位置にあれば、赤色画像は原稿で反射されず、読み取ることができない。このように原稿に白色以外の色領域が存在することによりカラー画像を読み取れない事態が生じる場合がある。
【０００５】
本発明の目的は、原稿に白色以外の色領域が存在していてもパーソナルコンピュータを使用することなく、原稿画像とカラー画像を合成する編集を簡単に実現できる画像読取装置を提供することである。
【課題を解決するための手段】
【０００６】
本発明に係る画像読取装置は、透明な原稿台と、前記原稿台上の原稿に前記原稿台を通して光を照射する光源と、前記光源と前記原稿台上の原稿の間に位置しており、前記光源からの光について、選択画素により所定波長の光を反射してカラー画像を表示すると共に非選択画素により前記原稿台上の原稿側へ光を透過する画像表示部と、前記非選択画素を透過した光を前記原稿台上の原稿で反射させた原稿画像と前記画像表示部に表示されているカラー画像を合成した合成画像を読み取る画像センサと、を備える。
【０００７】
本発明に係る画像読取装置において、前記画像表示部は電力の供給を停止してもカラー画像の表示を保持するメモリ性を有しており、前記画像読取装置はさらに、前記画像表示部にカラー画像を表示する制御をした後に前記画像表示部への電力の供給を停止する制御をし、ユーザが前記画像読取装置のリセットキーを操作することにより前記画像表示部に表示しているカラー画像を消去する制御をする表示制御部を備える、ようにすることができる。
【０００８】
これによれば、メモリ性を有する画像表示部にカラー画像を表示させた後に画像表示部への電力供給を停止するので、画像表示部の消費電力を抑えることができる。また、リセットキーを操作することにより、画像表示部に表示しているカラー画像が消去されるので、ユーザは簡単にカラー画像を消去することができる。
【０００９】
本発明に係る画像読取装置において、前記表示制御部は、前記画像表示部にカラー画像を表示する制御をする場合、カラー画像表示を報知する報知情報を、前記原稿台上の原稿と重ならない前記画像表示部の領域に表示する制御をする、ようにすることができる。
【００１０】
これによれば、原稿画像とカラー画像を合成する編集をしたユーザと別のユーザが、カラー画像が表示されたままの状態であることに気づかないで画像読取装置を使用するのを防止できる。特に、小さいカラー画像、目立ちにくいカラー画像の場合に有効である。
【発明の効果】
【００１１】
本発明によれば、原稿台上の原稿と光源の間に位置する画像表示部において、選択画素により所定波長の光を反射させてカラー画像を表示しているので、カラー画像を原稿で反射させないで画像センサにより読み取ることができる。したがって、原稿に白色以外の色領域が存在していてもパーソナルコンピュータを使用することなく、原稿画像とカラー画像を合成する編集を簡単に実現できる。
【発明を実施するための最良の形態】
【００１２】
本発明の実施形態について図面を用いて説明する。図１は本実施形態に係る画像読取装置を備えた複合機１の構成を示すブロック図である。複合機１はコピー、ファクシミリ、スキャナ及びプリンタの機能を有する。
【００１３】
複合機１はＭＰＵ(Micro Processing Unit)３、画像センサ５、画像記録部７、表示部９、操作部１１、モデム１３、ＮＣＵ(Network Control Unit)１５、ＲＯＭ(Read Only Memory)１７、ＲＡＭ(Random Access Memory)１９、画像メモリ２１、コーデック２３、ＬＡＮ(Local Area Network)インターフェース２５、画像表示部２７等が相互にバス２９で接続された構成を有する。ＭＰＵ３は複合機１を構成する上記ハードウェアを制御すると共に複合機１の動作に必要なソフトウェアを実行する。
【００１４】
画像センサ５は原稿画像等を読み取って画像データとして出力する。本実施形態では画像センサ５としてリニアイメージセンサを用いている。画像センサ５にはＣＣＤ(Charge Coupled Device)型とＣＭＯＳ型(Complementary Metal Oxide Semiconductor)がある。画像記録部７は電子写真方式等のプリンタであり、画像センサ５から出力された画像データ、ファクシミリ通信により受信した別のファクシミリ機からの画像データ等を画像に戻し、この画像が記録された用紙を出力する。
【００１５】
表示部９は複合機１の動作状態、各種設定内容等を表示する。表示部９はＬＣＤ(Liquid Crystal Display)、ＣＲＴ(Cathode Ray Tube)等で実現される。操作部１１は複合機１の操作に必要なキー（テンキー、スタートキー、リセットキー、各種のファンクションキー等）を備える。
【００１６】
モデム１３は通常のファクシミリ通信用のファクシミリモデムの機能を有する。また、モデム１３はＮＣＵ１５と直接に接続されている。ＮＣＵ１５は公衆電話回線３１を閉結及び開放する機能の他に、通信する相手方の電話番号に応じたダイヤルパルスを送出する機能及び着信を検出する機能を有する。また、ＮＣＵ１５はモデム１３を必要に応じて公衆電話回線３１に接続する。
【００１７】
ＲＯＭ１７はフラッシュメモリ等により実現されており、複合機１の動作に必要なソフトウェアを記憶している。ＲＡＭ１９はＳＲＡＭ(Static Random Access Memory)、ＤＲＡＭ(Dynamic Random Access Memory)等により実現されている。ＲＡＭ１９はソフトウェアの実行時に発生するデータの一時的な記憶及びアプリケーションソフトの記憶等に利用される。    
【００１８】
画像メモリ２１はＤＲＡＭ等で実現されており、送信すべき画像データ、受信した画像データ及び画像センサ５から出力された画像データ等を一時的に記憶する。
【００１９】
コーデック２３は画像データを符号化圧縮すると共に符号化圧縮されている画像データを復号する。ＬＡＮインターフェース２５は複合機１がＬＡＮ３３と通信可能に接続するインターフェースである。
【００２０】
画像表示部２７は原稿画像と合成するカラー画像を表示する。画像表示部２７については後で詳細に説明する。なお、原稿画像とは光源からの光を原稿台上の原稿で反射させて得られる画像のことである。
【００２１】
図２は本実施形態に係る画像読取装置４１の外観を示す斜視図である。画像読取装置４１は図１に示す複合機１の一部を構成しており、コピー機能、スキャナ機能及びファクシミリ送信機能を利用するときに使用される。
【００２２】
画像読取装置４１は本体部４３、原稿自動送り部４５、図１に示す画像センサ５が配置されているキャリッジ(carriage)４７及び操作パネル４９により構成される。
【００２３】
本体部４３はその内部にキャリッジ４７が配置される筐体である。本体部４３は原稿自動送り部４５と対向する表面５１を有する。表面５１に対して開閉自在に原稿自動送り部４５が設けられている。表面５１には原稿読取面５３及び原稿台５５が嵌め込まれており、これらは副走査方向５７に間隔をあけて並べられている。
【００２４】
原稿読取面５３は主走査方向５９に延びる細長の透明なガラス板であり、原稿自動送りにより原稿を読み取る場合に使用される。原稿台５５は透明なガラス平板であり、フラットベット式により原稿を読み取る場合に使用される台である。
【００２５】
原稿自動送り部４５は二つの機能を有する。一つは、原稿自動送りにより原稿を読み取る場合において原稿を原稿読取面５３に自動送りする機能である。もう一つは、フラットベット式により原稿を読み取る場合において原稿台５５をカバーする機能である。
【００２６】
操作パネル４９は本体部４３の副走査方向５７に延びる側面の一方に取り付けられている。操作パネル４９は図１に示す表示部９及び操作部１１により構成される。
【００２７】
キャリッジ４７は原稿の読取ユニットであり、本体部４３の内部に配置されている。キャリッジ４７は主走査方向５９に延びており、図示しない駆動機構により副走査方向５７に移動可能にされている。
【００２８】
キャリッジ４７の構成を説明する。図３は主走査方向５９（紙面垂直方向）から見たキャリッジ４７の構成を示す図である。キャリッジ４７は画像センサ５、光源６１、ミラー６３及びレンズ６５を備える。これらは主走査方向５９に延びている。光源６１は原稿台５５を通して原稿台５５上の原稿６７に光６９を照射する。光６９を原稿６７で反射させた原稿画像は原稿台５５を通過してミラー６３で反射され、レンズ６５を通過して画像センサ５で読み取られる。
【００２９】
なお、図３では表示を簡単にするために、ミラー６３を一つしか表していないが、実際は光路長を確保するために複数のミラーが配置されている。したがって、光６９を原稿６７で反射させた原稿画像は、複数のミラーで反射された後（第１のミラーで反射されて第２のミラーへ導かれ、第２のミラーで反射されて第３のミラーへ導かれ、・・・）、レンズ６５へ導かれる。
【００３０】
画像表示部２７について、図２及び図３を用いて説明する。画像表示部２７は原稿台５５と略同じ面積を有しており、原稿台５５の裏面に貼り付けられている。画像表示部２７は光源６１からの光６９について、選択画素により所定波長の光を反射してカラー画像を表示すると共に非選択画素により原稿台５５上の原稿６７側へ光を透過する。すなわち、画像表示部２７は選択画素の領域にカラー画像を表示し、非選択画素の領域を透明とする表示媒体である。
【００３１】
画像表示部２７としては、例えば光のＲ，Ｇ，Ｂの成分（所定波長）を選択的に反射させてカラー表示する電子ペーパを用いることができる。電子ペーパは電力の供給を停止してもカラー画像の表示を保持するメモリ性を有している。  
【００３２】
本実施形態に係る画像読取装置４１によれば、原稿画像とカラー画像を合成した合成画像を読み取ることができる。これについて説明する。図４及び図５は、図２と同様の本実施形態に係る画像読取装置４１の外観を示す斜視図である。
【００３３】
図４に示すように、ユーザは操作パネル４９を操作して画像表示部２７に合成画像の対象となるカラー画像７１を表示させる。図では楕円形の領域に「ＥＦＫ」の文字が配置された画像をカラー画像７１の一例として示している。カラー画像７１はユーザから見て反転された状態で表示される。原稿台５５上に置かれる原稿の読み取り面が、ユーザから見て反転された状態にあることに合わせたものである。これによりカラー画像７１と原稿画像が共に反転されていない通常の状態の合成画像にすることができる。
【００３４】
図６は原稿６７の一例を示す平面図である。原稿６７の読み取り面には黒色領域７３が存在している。図５は図６に示す原稿６７を原稿台５５上に置いた状態を示している。カラー画像７１と黒色領域７３が重なっているとする。原稿自動送り部４５を閉じて操作パネル４９のスタートキーを操作することにより、画像の読み取りが開始される。
【００３５】
図７はカラー画像７１と黒色領域７３が重なっている箇所を含むラインを走査している状態を示している。図７は副走査方向５７（紙面垂直方向）から見た図である。画像表示部２７は光源６１から光６９を選択画素７５により反射してカラー画像７１を表示している。カラー画像７１は画像センサ５により読み取られる。
【００３６】
これに対して、画像表示部２７の非選択画素７７に照射された光源６１からの光６９は非選択画素７７を透過し、原稿台５５を通して原稿台５５上の原稿６７で反射され、原稿画像７９として画像センサ５により読み取られる。したがって、原稿画像７９とカラー画像７１を合成した合成画像が画像センサ５により読み取られることになる。
【００３７】
図８は画像センサ５で読み取られた合成画像８１を示している。カラー画像７１は黒色領域７３により消えることなく表示されている。すなわち、図５のカラー画像７１と黒色領域７３が重なる箇所ではカラー画像７１が優先し、合成画像８１にカラー画像７１を含めるようにすることができる。カラー画像７１を優先できるのは、カラー画像７１が原稿６７で反射されてから画像センサ５で読み取られるのではなく、選択画素７５により反射して生成されたカラー画像７１を画像センサ５で読み取っているからである。
【００３８】
比較例として選択画素７５を透過させてカラー画像７１を表示するようにした場合、図９に示すように、カラー画像７１を構成する光は黒色領域７３で吸収されるので、カラー画像７１を画像センサ５で読み取ることができない。したがって、合成画像８１は図１０に示すように黒色領域７３を含む原稿画像７９だけとなり、カラー画像７１を合成することができない。なお、発明が解決しようとする課題で説明したように、原稿６７の色領域とカラー画像７１が補色の関係にある場合も同様の現象が発生する。
【００３９】
本実施形態によれば図７に示すように、原稿台５５上の原稿６７と光源６１の間に位置する画像表示部２７において、選択画素７５により所定波長の光を反射させてカラー画像７１を表示している。このため、カラー画像７１を原稿６７で反射させないで画像センサ５で読み取ることができるので、原稿６７に白色以外の色領域が存在し、画像表示部２７に表示されるカラー画像７１と重なっていても、合成画像８１にカラー画像７１を含めることができる。したがって、原稿６７に白色以外の色領域が存在していてもパーソナルコンピュータを使用することなく、原稿画像７９とカラー画像７１を合成する編集を簡単に実現できる。
【００４０】
本実施形態では画像表示部２７を原稿台５５の下面に貼り付けているが、画像表示部２７は原稿台５５上の原稿６７と光源６１の間に位置していればよいので、画像表示部２７は原稿台５５の内部に配置してもよいし、原稿台５５上に貼りつけてもよい。
【００４１】
画像表示部２７は電力の供給を停止してもカラー画像７１の表示を保持するメモリ性を有しているので、本実施形態では画像表示部２７にカラー画像７１を表示する制御をした後に画像表示部２７への電力の供給を停止する制御をしている。したがって、画像表示部２７の消費電力を抑えることができる。特に、画像表示部２７にカラー画像７１を長時間表示させる必要がある場合に有効である。例えば多数の原稿６７の原稿画像７９に同じカラー画像７１を合成する場合である。この場合、各原稿６７の読み取り前にカラー画像７１を表示させる操作を不要にすることができる。
【００４２】
そして、本実施形態では、電力の供給が停止された画像表示部２７に表示されているカラー画像７１を、ユーザが操作パネル４９のリセットキーを操作することにより消去する制御をしているので、ユーザは簡単にカラー画像７１を消去することができる。
【００４３】
以上の電力供給停止制御とカラー画像消去制御は表示制御部により実行される。表示制御部は、図１のＭＰＵ３、ＲＯＭ１７、ＲＡＭ１９等により構成される。  
【００４４】
上記表示制御部は、画像表示部２７にカラー画像７１を表示する制御をする場合、図１１に示すようにカラー画像表示を報知する報知情報８３を、原稿台５５上の原稿６７と重ならない画像表示部２７の領域に表示する制御をする。報知情報８３は、カラー画像７１が画像表示部２７に表示されていることをユーザに知らせる情報なので、反転させないで通常の状態で表示される。
【００４５】
報知情報８３を表示する理由を説明する。画像表示部２７はメモリ性を有しているのでリセットキーが操作又は所定時間が経過するまで、画像表示部２７にカラー画像７１が表示された状態が継続される。したがって、別のユーザが画像読取装置４１を使用するときに、カラー画像７１が画像表示部２７に表示されたままの状態が発生する可能性がある。
【００４６】
別のユーザが画像表示部２７に表示されたままの状態のカラー画像７１に気づかないで、リセットキーを操作せずに原稿台５５上に原稿６７を置いて読み取りを行えば、別のユーザの意図に反してカラー画像７１が合成されてしまうことになる。
【００４７】
本実施形態では画像表示部２７にカラー画像７１が表示されていることを報知する報知情報８３をカラー画像７１と一緒に表示することにより、別のユーザにカラー画像７１が表示されていることを報知することができる。特に、カラー画像７１が小さい場合、目立ちにくい場合にカラー画像７１が表示されたままの状態であることに気づきにくいので、報知情報８３の表示は有効である。
【００４８】
原稿６７と報知情報８３が重なれば、原稿画像７９に報知情報８３の画像が合成されてしまうので、報知情報８３を表示する領域は原稿６７と重ならない領域にする。例えば、カラー画像７１を合成する原稿６７のサイズとしてＡ４サイズを操作パネル４９で選択すれば、このサイズの原稿６７が置かれる領域以外に報知情報８３を表示する。
【００４９】
原稿６７のサイズが読み取り可能な最大サイズ（例えばＡ３サイズ）の場合、原稿６７が置かれる領域以外に報知情報８３を表示できず、原稿６７と報知情報８３が重なる可能性がある。したがって、原稿６７のサイズが読み取り可能な最大サイズの場合、報知情報８３は画像表示部２７に表示しないで、操作パネル４９に表示する。
【図面の簡単な説明】
【００５０】
【図１】本実施形態に係る画像読取装置４１を備えた複合機１の構成を示すブロック図である。
【図２】本実施形態に係る画像読取装置４１の外観を示す斜視図である。
【図３】主走査方向５９から見たキャリッジ４７の構成を示す図である。
【図４】画像表示部２７にカラー画像７１が表示された状態の画像読取装置４１の外観を示す斜視図である。
【図５】画像表示部２７にカラー画像７１が表示され、かつ原稿台５５に原稿６７が置かれている状態の画像読取装置４１の外観を示す斜視図である。
【図６】原稿６７の一例を示す平面図である。
【図７】本実施形態に係る画像読取装置４１において、カラー画像７１と黒色領域７３が重なっている箇所を含むラインを走査している状態を示す断面図である。
【図８】本実施形態に係る画像読取装置４１において、画像センサ５で読み取られた合成画像８１の一例を示す平面図である。
【図９】図７に対応する比較例の断面図である。
【図１０】図８に対応する比較例の平面図である。
【図１１】画像表示部２７にカラー画像７１と報知情報８３が表示されている状態の画像読取装置４１の外観を示す斜視図である。
【符号の説明】
【００５１】
１・・・複合機、３・・・ＭＰＵ、５・・・画像センサ、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・画像表示部、２９・・・バス、３１・・・公衆電話回線、３３・・・ＬＡＮ、４１・・・画像読取装置、４３・・・本体部、４５・・・原稿自動送り部、４７・・・キャリッジ、４９・・・操作パネル、５１・・・本体部の表面、５３・・・原稿読取面、５５・・・原稿台、５７・・・副走査方向、５９・・・主走査方向、６１・・・光源、６３・・・ミラー、６５・・・レンズ、６７・・・原稿、６９・・・光、７１・・・カラー画像、７３・・・黒色領域、７５・・・選択画素、７７・・・非選択画素、７９・・・原稿画像、８１・・・合成画像、８３・・・報知情報
【図１】
2009273046.tif 000003
【図２】
2009273046.tif 000004
【図３】
2009273046.tif 000005
【図４】
2009273046.tif 000006
【図５】
2009273046.tif 000007
【図６】
2009273046.tif 000008
【図７】
2009273046.tif 000009
【図８】
2009273046.tif 000010
【図９】
2009273046.tif 000011
【図１０】
2009273046.tif 000012
【図１１】
2009273046.tif 000013